(57)【要約】【課題】内部に防水エリアを有する携帯端末装置において、通気孔に外部から細い棒が差し込まれて内部部品が損傷すること、或いは、防水性が低下することを防止する。【解決手段】この携帯端末装置は、内部部品と、内部に防水エリアを形成して防水エリアに内部部品を収容する筐体と、筐体に設けられて防水エリアに通じる第１通気孔と、防水性を有する通気フィルターと、筐体の外側に配置される外面部材と、を具備し、通気フィルターは、第１通気孔を塞ぐように固定され、外面部材は、外部から第１通気孔へ通じる通気経路を確保した状態で、第１通気孔を覆って固定される構成を採る。【選択図】図５
2014014060.tif 000002
【特許請求の範囲】
【請求項１】
内部部品と、
内部に防水エリアを形成して前記防水エリアに前記内部部品を収容する筐体と、
前記筐体に設けられて前記防水エリアに通じる第１通気孔と、
防水性を有する通気フィルターと、
前記筐体の外側に配置される外面部材と、
を具備し、
前記通気フィルターは、前記第１通気孔を塞ぐように固定され、
前記外面部材は、外部から前記第１通気孔へ通じる通気経路を確保した状態で、前記第１通気孔を覆って固定される、
携帯端末装置。
【請求項２】
前記外面部材には、前記第１通気孔と重ならない箇所に第２通気孔が形成され、
前記通気経路は、前記第２通気孔、および、前記外面部材と前記筐体との隙間から構成される、
請求項１記載の携帯端末装置。
【請求項３】
前記外面部材は、前記第２通気孔を有する表示部の外部パネルであり、
前記筐体には、前記第１通気孔を有し且つ前記外部パネルの周縁部に対向する台座面が形成され、
前記外部パネルは、前記台座面との間に前記通気フィルターを挟んで前記筐体に防水固定される、
請求項２記載の携帯端末装置。
【請求項４】
前記外面部材は、電池収容部を覆う電池蓋であり、
前記筐体には、前記電池蓋により塞がれる開口と、前記第１通気孔を有し且つ前記電池蓋の周縁部に対向する台座面とが形成され、
前記電池蓋は、前記台座面との間に前記通気フィルターを挟んで前記筐体に防水固定される、
請求項２記載の携帯端末装置。
【請求項５】
前記外面部材は、電池収容部を覆う電池蓋であり、
前記電池蓋は、パッキンを介して前記筐体に防水固定され、
前記筐体には、前記電池蓋の前記パッキンより外側の部位と重なる箇所に前記第１通気孔が設けられている、
請求項１記載の携帯端末装置。
【請求項６】
前記外面部材または前記筐体に形成され、外部と前記内部部品を収容した前記筐体の内部とを連通する貫通孔と、
前記筐体と一体に設けられ、前記外面部材の内面若しくは前記筐体の内面において前記貫通孔に対して前記内部部品よりも近づいた位置に露出する導電板と、
をさらに有する、
請求項１記載の携帯端末装置。
【請求項７】
前記外面部材若しくは前記筐体は、
前記貫通孔と前記内部部品との沿面距離を長くするためのリブを有する、
請求項６記載の携帯端末装置。
【請求項８】
前記貫通孔は、
前記第１通気孔である、
請求項６記載の携帯端末装置。
【発明の詳細な説明】
【技術分野】
【０００１】
本発明は、内部に防水エリアを有する携帯端末装置に関する。
【背景技術】
【０００２】
筐体内を完全に密閉状態にすると、気圧の変化によって比較的大きな内圧が生じるという不都合が生じる。そのため、筐体内を防水又は防塵する場合でも、筐体内に通じる空気孔が必要となる。
【０００３】
従来の防水型の携帯端末装置は、筐体に通気孔を設けるとともに、空気を通し且つ水を通さない通気フィルター（ベントフィルターとも呼ばれる）で通気孔を塞ぐように構成されている。
【０００４】
また、本願発明に関連する従来技術として、特許文献１には、ケース音孔とマイクロホンとの間に防塵メッシュシートを設けた構成が開示されている。
【先行技術文献】
【特許文献】
【０００５】
【特許文献１】特開２００８−１９９２２５号公報
【発明の概要】
【発明が解決しようとする課題】
【０００６】
通気孔を有する筐体では、通気孔から針金などの細い棒が差し込まれた場合に、内部の部品に損傷を与えてしまうといった課題が生じる。
【０００７】
また、防水型の携帯端末装置では、通気孔に細い棒が差し込まれた場合に、通気フィルターが破損して防水性が低下するといった課題が生じる。
【０００８】
本発明の目的は、内部に防水エリアを有する携帯端末装置において、通気孔に外部から細い棒が差し込まれて内部部品が損傷すること、或いは、防水性が低下することを防止できる携帯端末装置を提供することである。
【課題を解決するための手段】
【０００９】
本発明の一態様に係る携帯端末装置は、内部部品と、内部に防水エリアを形成して前記防水エリアに前記内部部品を収容する筐体と、前記筐体に設けられて前記防水エリアに通じる第１通気孔と、防水性を有する通気フィルターと、前記筐体の外側に配置される外面部材と、を具備し、前記通気フィルターは、前記第１通気孔を塞ぐように固定され、前記外面部材は、外部から前記第１通気孔へ通じる通気経路を確保した状態で、前記第１通気孔を覆って固定される構成を採る。
【発明の効果】
【００１０】
本発明によれば、外面部材が第１通気孔を覆うので、第１通気孔に細い棒が差し込まれることを防止できる。よって、細い棒が差し込まれて内部部品が損傷すること、又は防水性が低下することを防止できる。
【図面の簡単な説明】
【００１１】
【図１】実施の形態１の携帯端末装置を示す斜視図
【図２】実施の形態１の携帯端末装置の表示部側の構成を示す分解斜視図
【図３】実施の形態１の携帯端末装置における通気孔の周辺を示す断面図
【図４】実施の形態２の携帯端末装置を示す正面図
【図５】実施の形態３の携帯端末装置を示す背面図
【図６】実施の形態３の携帯端末装置の分離斜視図
【図７】実施の形態４の携帯端末装置を示す背面図
【図８】実施の形態４の携帯端末装置の通気構造を示す分解斜視図
【図９】実施の形態４の携帯端末装置における通気孔の周辺を示す断面図
【図１０】実施の形態５の携帯端末装置の通気構造を示す分解斜視図
【図１１】実施の形態５の携帯端末装置の通気孔の周辺を示す断面図
【図１２】実施の形態６の携帯端末装置の通気孔の周辺を示す断面図
【図１３】実施の形態７の携帯端末装置における第１筐体の表示部側の構成を示す平面図
【図１４】実施の形態７の携帯端末装置の通気孔の周辺の構成を示す背面図
【図１５】実施の形態７の携帯端末装置の静電気誘導部の構成の第１変形例を示す断面図
【図１６】実施の形態７の携帯端末装置の静電気誘導部の構成の第２変形例を示す断面図
【発明を実施するための形態】
【００１２】
以下、本発明の各実施の形態について図面を参照して詳細に説明する。
【００１３】
（実施の形態１）
図１は、実施の形態１の携帯端末装置を示す斜視図、図２は、携帯端末装置の表示部側の構成を示す分解斜視図である。
【００１４】
実施の形態１の携帯端末装置は、図１に示すように、第１構成部３０と、ヒンジ３１を介して第１構成部３０に回動可能に連結された第２構成部１０とを有する。
【００１５】
第１構成部３０には、キーパッド３２、図示しないマイク、スピーカー、アンテナ、通信用の信号処理回路、および、制御回路等が搭載されている。
【００１６】
図２に示すように、第２構成部１０は、枠部１２Ａおよび背面プレート１２Ｂを有する第１筐体１２と、外部パネル（外面部材に相当）１１ａと、表示部１１ｂと、図示略の電子部品が搭載される保持プレート１４と、ベントフィルター１３等を備えている。電子部品としては、音声出力用のレシーバなどが含まれる。
【００１７】
表示部１１ｂは、例えば液晶モジュールからなり、外部パネル１１ａによって前面側が覆われて保護されている。なお、外部パネル１１ａと表示部１１ｂとが接着等されてモジュール化されていてもよい。
【００１８】
外部パネル１１ａには、通気孔１１ｃと、レシーバ用の音孔１１ｄとが設けられている。通気孔１１ｃと音孔１１ｄとは、表示部１１ｂを避けた装置の端側に形成されている。
【００１９】
第１筐体１２の枠部１２Ａには、前面側に外部パネル１１ａの周縁部を支える台座面１２ａが形成され、背面側に背面プレート１２Ｂにより塞がれる開口が形成されている。
【００２０】
台座面１２ａには、外部パネル１１ａの周縁部が全周に渡って防水固定（例えば両面接着テープを介した接着）されている。また、枠部１２Ａの背面開口には、背面プレート１２Ｂが全周に渡って防水固定（例えば両面接着テープを介した接着）されている。これらの固定によって、第１筐体１２の内部は防水エリアとなる。
【００２１】
台座面１２ａの一部には、ベントフィルター１３が固定される凹部１２ｂと、凹部１２ｂ内に一端が面するように形成された通気孔１２ｃとが形成されている。
【００２２】
凹部１２ｂは、ベントフィルター１３がほぼ突出しない深さを有する。通気孔１２ｃは第１筐体１２の収容空間に通じている。
【００２３】
ベントフィルター１３は、空気を通し、水を遮断するシート状のフィルターである。
【００２４】
なお、台座面１２ａの一部には、レシーバに通じる音孔１２ｄが形成され、音孔１２ｄはレシーバの音孔と連結されている。音孔１２ｄおよびレシーバの音孔は、第１筐体の収容空間と隔離されており、音孔には外部から水が浸入可能であるが、音孔から第１筐体の収容空間へ水は浸入しない。
【００２５】
図３は、通気孔の周辺を示す断面図である。
【００２６】
図３に示すように、外部パネル１１ａの通気孔１１ｃと、台座面１２ａの通気孔１２ｃとは、平面で見たときに（外部パネル１１ａの垂直方向に見たときに）互いに重なりが生じないように、位置がずらされて形成されている。また、これら２つの通気孔１１ｃ，１２ｃは、針など直線状の細い棒を通気孔１１ｃから斜めに差し込んでも、この棒が内側の通気孔１２ｃに届かないように位置をずらして形成されている。
【００２７】
外部パネル１１ａと台座面１２ａとは、その間に接着部材（例えば両面接着テープ）ｄｆ１が介在するため、接着部材ｄｆ１の厚みだけ離れている。接着部材ｄｆ１は、凹部１２ｂの部分を避けて、凹部１２ｂの全周に渡って外部パネル１１ａと台座面１２ａとを接着している。これにより、凹部１２ｂの上方には隙間ｖ１が生じている。
【００２８】
ベントフィルター１３は、接着部材ｄｆ２により凹部１２ｂの内底面に接着されている。接着部材ｄｆ２は、通気孔１２ｃの部分を避けて通気孔１２ｃの全周囲に渡ってベントフィルター１３と凹部１２ｂの内底面とを接着している。
【００２９】
以上のように、実施の形態１の携帯端末装置によれば、外部パネル１１ａの通気孔１１ｃと、第１筐体１２の通気孔１２ｃとは、空気の出し入れが可能なように隙間ｖ１を介して互いに通じた構造となる（図３参照）。また、通気孔１２ｃがベントフィルター１３により塞がれているので、通気孔１１ｃ，１２ｃを介して内部の防水エリアへ水は浸入しない。
【００３０】
また、第１筐体１２の通気孔１２ｃは、通気経路が確保された状態で、外部パネル１１ａにより上方が覆われているので、第１筐体１２の通気孔１２ｃから内部部品の収容空間に細い棒が差し込まれてしまうことを防止できる。よって、細い棒が差し込まれて内部部品１４ａ〜１４ｃが損傷すること、或いは、ベントフィルター１３が損傷して収容空間の防水性が低下することが防止される。
【００３１】
また、内側の通気孔１２ｃに棒が差し込まれることが防止されるため、通気孔１１ｃ、１２ｃの径を比較的に大きくして、内部部品の収容空間の十分な通気を容易に確保することができる。
【００３２】
（実施の形態２）
図４は、実施の形態２の携帯端末装置を示す正面図である。
【００３３】
実施の形態２の携帯端末装置４０は、所謂スマートフォンと呼ばれる携帯端末であり、前面側が開口された筐体４２と、筐体４２の前面開口を塞ぐように筐体４２の前面に防水固定された外部パネル（外面部材に相当）４１ａと、前面下側の操作部４５とを備えている。外部パネル４１ａの内側には、液晶モジュールなどの表示部４１ｂおよびタッチセンサーなどが設けられている。外部パネル４１ａと表示部４１ｂおよびタッチセンサーとは分離されていても、ユニット化されて表示ユニット４１を構成していてもよい。
【００３４】
筐体４２および外部パネル４１ａの固定構造および通気構造は、実施の形態１の第１筐体１２および外部パネル１１ａの固定構造および通気構造と、ほぼ同様である。
【００３５】
すなわち、筐体４２の内部空間は防水エリアとされ、筐体４２の前面には外部パネル４１ａを支える台座面が形成されている。外部パネル４１ａには通気孔４１ｃが形成され、この通気孔４１ｃと位置をずらして台座面にも通気孔４２ｃが形成されている。そして、これらが接着部材分の隙間を介して通じており、台座面の通気孔４２ｃをベントフィルター４９が塞いでいる。
【００３６】
以上のように、実施の形態２の携帯端末装置４０によれば、前面に表示部が配置される携帯端末において、内部の防水エリアの通気を確保しつつ、台座面の通気孔４２ｃを介して内部部品の収容空間へ細い棒が差し込まれてしまうことを防止できる。従って、実施の形態２の携帯端末装置４０においても、実施の形態１と同様の効果を得ることができる。
【００３７】
（実施の形態３）
図５は、実施の形態３の携帯端末装置を示す背面図、図６は、実施の形態３の携帯端末装置の分離斜視図である。
【００３８】
実施の形態３の携帯端末装置５０は、所謂スマートフォンと呼ばれる携帯端末であり、図６に示すように、筐体５５と、外装カバー（外面部材に相当）５１と、内部部品６０と、表示部および外部パネルを有する表示モジュール６５とを備えている。内部部品６０には、カメラモジュールおよび集積回路等が搭載された回路基板６２、電池パック６１、ならびに、アンテナ等が含まれる。
【００３９】
筐体５５は、前面側（図６の下側）が開口された箱型をしており、背面側にカメラモジュールのレンズ窓５２と、電池蓋５４とが設けられている。レンズ窓５２は透明板により封止され、電池蓋５４はパッキンを介して筐体５５のフレームに嵌合されている。
【００４０】
筐体５５は、内部に内部部品６０を収容するとともに、前面に表示モジュール６５（または表示モジュール６５のフレーム）の周縁部が接着固定される。この固定により、内部の収容空間が防水エリアとなる。
【００４１】
表示モジュール６５は、実施の形態２の外部パネル４１ａおよび表示部４１ｂとほぼ同様の構成である。
【００４２】
外装カバー５１は、装飾用に筐体５５のレンズ窓５２の周囲を覆うように係合される。外装カバー５１は、例えば係止爪と係止溝との係合により筐体５５に固定される。
【００４３】
［通気構造］
筐体５５には、内部の収容空間に通じる通気孔５７が形成されている。通気孔５７は、外装カバー５１により覆われる箇所に形成されている。通気孔５７は、ベントフィルター５９により塞がれている。ベントフィルター５９は、筐体５５の外面に通気孔５７の全周に渡って接着されている。これにより、通気孔５７へ水が浸入することが防止される。
【００４４】
外装カバー５１には、筐体５５の通気孔５７と位置をずらして通気孔５８が形成されている。
【００４５】
２つの通気孔５７、５８は、外装カバー５１の外面に垂直な方向から見たときに、互いに重なりが生じないように、位置がずらされている。また、これら２つの通気孔５７、５８は、針など直線状の細い棒を通気孔５８から斜めに差し込んでも、この棒が内側の通気孔５７に届かない程度に位置がずらされている。
【００４６】
外装カバー５１と筐体５５との間には、少なくとも通気孔５７の周辺において隙間が形成されている。よって、この隙間を介して、２つの通気孔５７、５８が通じている。
【００４７】
以上のように、実施の形態３の携帯端末装置５０によれば、一部に外装カバー５１が設けられる携帯端末において、内部の防水エリアの通気を確保しつつ、通気孔５７を介して内部部品の収容空間へ細い棒が差し込まれてしまうことを防止できる。従って、実施の形態３の携帯端末装置５０においても、実施の形態１と同様の効果を得ることができる。
【００４８】
（実施の形態４）
図７は、実施の形態４の携帯端末装置を示す背面図、図８は、実施の形態４の携帯端末装置の通気構造を示す分解斜視図である。
【００４９】
実施の形態４の携帯端末装置は、通気構造を除いて、実施の形態２、３の携帯端末装置とほぼ同様の構成である。
【００５０】
実施の形態４の携帯端末装置では、電池蓋（外面部材に相当）７４と、筐体７５の台座面７５ａとに、通気孔７７、７８がそれぞれ形成されている。
【００５１】
電池蓋７４の内面側には、パッキン７４ａが設けられている。
【００５２】
一方、筐体７５の電池パック６１の収容部の周囲には、パッキン７４ａが嵌る嵌合溝７５ｄが全周に渡って形成されている。また、筐体７５の電池パック６１の収容部の周囲一部には、電池蓋７４の内面と対向する台座面７５ａが形成されている。
【００５３】
そして、電池蓋７４の周縁部が台座面７５ａに対向および近接され、且つ、パッキン７４ａが嵌合溝７５ｄに密接することで、電池蓋７４が筐体７５に対して防水固定される。電池蓋７４と筐体７５との係止は、例えば係止爪と係止溝との係合によって行われる。
【００５４】
［通気構造］
図９は、実施の形態４の携帯端末装置における通気孔の周辺を示す断面図である。図９（Ａ）はその第１例、図９（Ｂ）はその第２例を示す。
【００５５】
台座面７５ａには、ベントフィルター７９が固定される凹部７５ｂが形成されている。
【００５６】
筐体７５の通気孔７７は、凹部７５ｂに形成され、内部の収容空間に通じている。
【００５７】
電池蓋７４の通気孔７８は、筐体７５の通気孔７７と位置をずらして形成されている。
【００５８】
２つの通気孔７７、７８は、電池蓋７４の外面に垂直な方向から見たときに、互いに重なりが生じないように、位置がずらされている。また、これら２つの通気孔７７、７８は、針など直線状の細い棒が通気孔７８から斜めに差し込まれても、この棒が内側の通気孔７７に届かない程度にずらされている。
【００５９】
ベントフィルター７９は、接着部材ｄｆ２によって凹部７５ｂの内底面に通気孔７７の全周に渡って接着固定されている。
【００６０】
図９（Ａ）に示すように、電池蓋７４の内面には、通気孔７７、７８の周囲において、筐体７５の台座面７５ａに押し当てられるパッキン７４ｂが設けられている。パッキン７４ｂは、通気孔７７、７８の周囲全周に渡って設けられている。
【００６１】
なお、パッキン７４ｂは、その一部がベントシート７９と重なるように配置されてもよい。
【００６２】
このような構成により、電池蓋７４が筐体７５に嵌合した状態において、パッキン７４ａ、７４ｂによって、電池パック６１および内部部品８０、８１ａ〜８１ｃの収容空間は防水エリアとなる。また、この構成により、電池蓋７４の通気孔７８、隙間ｖ１、および、筐体７５の通気孔７７を介して、筐体７５の収容空間へ通気が可能になっている。
【００６３】
なお、電池蓋７４の通気孔７７の周辺は、次のように構成されてもよい。
【００６４】
すなわち、図９（Ｂ）に示すように、凹部７５ｂは、ベントフィルター７９が台座面７５ａより少し突出する深さに形成する。
【００６５】
さらに、電池蓋７４は、内面側に通気溝ｖ２が形成された構成とする。通気溝ｖ２は、通気孔７８の位置から台座面７５ａの通気孔７７の位置まで形成されている。
【００６６】
さらに、電池蓋７４が筐体７５に嵌合した状態において、電池蓋７４の内面は、通気孔７８および通気溝ｖ２の全周に渡ってベントフィルター７９に押し付けられる構成とする。
【００６７】
このような構成により、電池蓋７４が筐体７５に嵌合した状態において、電池パック６１および内部部品８０、８１ａ〜８１ｃの収容空間は防水エリアとなる。また、これらの構成により、電池蓋７４の通気孔７８および通気溝ｖ２と、筐体７５の通気孔７７とを介して、筐体７５の収容空間へ通気可能となる。
【００６８】
以上のように、実施の形態４の携帯端末装置７０によれば、電池蓋７４を有する携帯端末において、内部の防水エリアの通気を確保しつつ、通気孔７７を介して内部部品の収容空間へ細い棒が差し込まれてしまうことを防止できる。従って、実施の形態４の携帯端末装置７０においても、実施の形態１と同様の効果を得ることができる。
【００６９】
（実施の形態５）
図１０は、実施の形態５の携帯端末装置の通気構造を示す分解斜視図、図１１は、実施の形態５の携帯端末装置の通気孔の周辺を示す断面図である。
【００７０】
実施の形態５の携帯端末装置７０Ａは、通気構造を除いて、実施の形態４の携帯端末装置７０とほぼ同様の構成である。
【００７１】
この実施の形態５の携帯端末装置７０Ａは、筐体７５Ａの通気孔７７Ａと、電池蓋（外面部材に相当）７４Ａおよび筐体７５Ａの隙間ｖ３，ｖ４とを介して、内部部品８０、８１ａ〜８１ｃの収容空間の通気を行っている。
【００７２】
筐体７５Ａの通気孔７７Ａは、電池蓋７４Ａのパッキン７４ａより外側の位置、すなわち、防水エリア外に形成されている。通気孔７７Ａは、電池蓋７４Ａの台座面７５ａの凹部７５ｈに設けられ、凹部７５ｈにはベントフィルター７９が固定されている。
【００７３】
電池蓋７４Ａが筐体７５Ａに嵌合された状態で、通気孔７７Ａは電池蓋７４Ａに覆われて外部から見えない状態となる。
【００７４】
一方、電池蓋７４Ａと筐体７５Ａとの間には、パッキン７４ａより外側において、外部と通じる隙間ｖ３、ｖ４が確保されている。
【００７５】
これらの構成により、電池蓋７４Ａが筐体７５Ａに嵌合した状態において、内部部品８０、８１ａ〜８１ｃの収容空間は防水エリアとなる。また、これらの構成により、電池蓋７４Ａと筐体７５Ａとの隙間ｖ３、ｖ４と、筐体７５Ａの通気孔７７Ａとを介して、筐体７５Ａの収容空間へ通気可能になっている。
【００７６】
以上のように、実施の形態５の携帯端末装置７０Ａによれば、電池蓋７４Ａを有する携帯端末において、内部の防水エリアの通気を確保しつつ、通気孔７７Ａを介して内部部品の収容空間へ細い棒が差し込まれてしまうことを防止できる。従って、実施の形態５の携帯端末装置７０Ａにおいても、実施の形態１と同様の効果を得ることができる。
【００７７】
（実施の形態６）
図１２は、実施の形態６の携帯端末装置の通気孔の周辺を示す断面図である。
【００７８】
実施の形態６の通気構造では、主にベントフィルター９６の固定範囲を、実施の形態１〜４と異ならせている。
【００７９】
実施の形態６の携帯端末装置は、内部の防水エリアに内部部品９３、９３ａ〜９３ｃを収容する筐体９２と、筐体９２の外側に配置される外面部材９１とを有している。
【００８０】
外面部材９１としては、表示部の外部パネル、外装カバー、キーパッド、電池蓋など、様々な部品を適用することができる。
【００８１】
筐体９２には、防水エリアに通じる通気孔９２ａが形成されている。
【００８２】
外面部材９１には、通気孔９２ａと位置がずらされて通気孔９１ａが形成されている。
【００８３】
２つの通気孔９２ａ、９１ａは、外側の通気孔９１ａから斜めに直線状の細い棒を差し込んで内側の通気孔９２ａに届かない程度にずらされている。
【００８４】
筐体９２の通気孔９２ａはベントフィルター９６でふさがれている。
【００８５】
さらに、実施の形態６においては、ベントフィルター９６が外側の通気孔９１ａから見えない範囲に固定されている。
【００８６】
このような構成により、筐体９２の収容空間は防水エリアとすることができ、且つ、通気孔９１ａ、９２ａと隙間ｖ１を介して筐体９２の収容空間へ通気することができる。
【００８７】
さらに、実施の形態６によれば、ベントフィルター９６が外側の通気孔９１ａから見えない位置に固定されているため、外側の通気孔９１ａから細い棒が差し込まれても、細い棒がベントフィルター９６まで届かない。よって、細い棒が差し込まれることでベントフィルター９６に力が加わってベントフィルター９６が損傷することがない。よって、実施の形態６によれば、ベントフィルター９６が損傷して収容空間の防水性が低下することをより確実に防止することができる。
【００８８】
（実施の形態７）
図１３は、実施の形態７の携帯端末装置における第１筐体の表示部側の構成を示す平面図、図１４は、通気孔の周辺の構成を示す背面図、図１５は、静電気誘導部の構成の第１変形例を示す断面図、図１６は、静電気誘導部の構成の第２変形例を示す断面図である。
【００８９】
実施の形態７の携帯端末装置は、通気孔１２ｃの周囲を除いて、図１及び図２の携帯端末装置とほぼ同様の構成である。
【００９０】
第１筐体１２には、第１筐体１２の厚み方向に貫通する貫通孔である通気孔１２ｃが形成されている。第１筐体１２には、導電板１０１が取り付けられている。導電板１０１は、第１筐体１２と一体成型されることにより、第１筐体１２と一体に設けられている。通気孔１２ｃは、外部と内部部品１４ａ〜１４ｃを収容した第１筐体１２の内部とを連通している。第１筐体１２には、通気孔１２ｃと内部部品１４ａ〜１４ｃとの沿面距離を長くするためのリブ１０３が設けられている（図１４参照）。
【００９１】
導電板１０１は、第１筐体１２の内面において通気孔１２ｃに対して内部部品１４ａ〜１４ｃよりも近づいた位置に露出する静電気誘導部１０２を有している。導電板１０１は、表示部１１ｂを補強するために、表示部１１ｂの背面側に設けられている。導電板１０１の通気孔１２ｃ側には、折り曲げ部１０１ａが形成されている。導電板１０１のヒンジ側には、一体成型の際に第１筐体１２に埋設される折り曲げ部１０１ｂが形成されている。折り曲げ部１０１ａ及び折り曲げ部１０１ｂは、プレス加工により金属板を打ち抜いた後に折り曲げることにより形成されている。
【００９２】
静電気誘導部１０２は、折り曲げ部１０１ａの両端において、折り曲げ部１０１ａから通気孔１２ｃ側に突出する一方の突出部１０１ｃに設けられている。
【００９３】
上記構成を有する携帯端末装置では、通気孔１２ｃに対して内部部品１４ａ〜１４ｃよりも近づいた位置に静電気誘導部１０２を露出させているので、通気孔１２ｃから静電気が進入した場合に、進入した静電気を静電気誘導部１０２に誘導することができる。なお、ベントフィルター１３により通気孔１２ｃは覆われているが、静電気は、ベントフィルター１３を通過して第１筐体１２の内部に侵入することができる。
【００９４】
以上のように、実施の形態７の携帯端末装置によれば、上記実施の形態１の効果に加えて、通気孔１２ｃから進入した静電気を静電気誘導部１０２に誘導することにより、静電気により内部部品が破壊されることを防ぐことができる。
【００９５】
また、実施の形態７の携帯端末装置によれば、通気孔１２ｃと内部部品１４ａ〜１４ｃとの沿面距離を長くするためのリブ１０３を設けたので、静電気により内部部品が破壊されることを確実に防ぐことができる。
【００９６】
また、実施の形態７の携帯端末装置によれば、表示部１１ｂを補強する導電板を用いて静電気誘導部１０２を形成することにより、静電気誘導部としての新たな部品を不要にすることができ、製造コストを低減することができる。また、新たな部品を配置するために従来必要であったスペースを利用して、沿面距離を長くするためのリブを形成することができ、静電気に対してより安全な構成にすることができる。
【００９７】
［静電気誘導部の構成の第１変形例］
図１５に示すように、静電気誘導部１０２ａは、通気孔１２ｃ内部に導電板１０１の一部を露出させて設けることができる。図１５に示す静電気誘導部１０２ａは、導電板１０１に折り曲げ部１０１ａを設けない場合、または折り曲げ部１０１ａを設ける場合であっても、通気孔１２ｃと上下に重なる位置に突出部１０１ｃを設けることが可能な場合に、形成することができる。
【００９８】
これにより、第１筐体１２の内面に静電気誘導部１０２を設ける場合に比べて、通気孔１２ｃから進入する静電気を静電気誘導部１０２ａに確実に誘導することができる。
【００９９】
［静電気誘導部の構成の第２変形例］
図１６に示すように、静電気誘導部１０２ｂは、通気孔１２ｃに対して内面側に導電板１０１の一部を露出させて設けることができる。図１６に示す静電気誘導部１０２ｂは、導電板１０１に折り曲げ部１０１ａを設けない場合、または折り曲げ部１０１ａを設ける場合であっても、通気孔１２ｃと上下に重なる位置に突出部１０１ｃを設けることが可能な場合に、形成することができる。
【０１００】
これにより、第１筐体１２の内面に静電気誘導部１０２を設ける場合に比べて、通気孔１２ｃから進入する静電気を静電気誘導部１０２ｂに確実に誘導することができる。
【０１０１】
なお、実施の形態７の携帯端末装置において、通気孔１２ｃから進入する静電気を静電気誘導部１０２に誘導したが、マイク若しくはスピーカー等の音声を外部に出力するための音孔から進入する静電気を静電気誘導部１０２に誘導してもよい。
【０１０２】
また、実施の形態７の携帯端末装置において、筐体に形成された通気孔１２ｃから進入する静電気を静電気誘導部１０２に誘導したが、外部パネル１１ａに形成された音孔等の貫通孔から筐体内部に進入する静電気を静電気誘導部１０２に誘導してもよい。
【０１０３】
また、実施の形態７の携帯端末装置において、第１筐体１２の内面において静電気誘導部１０２が露出するようにしたが、内部部品１４ａ〜１４ｃを収容した第１筐体１２の内部に外部パネル１１ａが露出する場合には、外部パネル１１ａの内面において静電気誘導部１０２が露出するようにしてもよい。
【０１０４】
また、実施の形態７の携帯端末装置において、第１筐体１２にリブ１０３を設けたが、内部部品１４ａ〜１４ｃを収容した第１筐体１２の内部に外部パネル１１ａが露出する場合には、外部パネル１１ａにリブ１０３を設けてもよい。
【０１０５】
以上、本発明の各実施の形態について説明した。
【０１０６】
なお、上記実施の形態では、外面部材として、表示部の外部パネル、外装カバー、電池蓋を適用した構成を例にとって説明したが、その他、キーパッドなどを適用することもできる。また、表示部は、タッチセンサーを設けたタッチパネルであってもよい。また、上記実施の形態では、ベントフィルターを筐体と外面部材との間に配置した構成を例にとって説明したが、ベントフィルターは、筐体の内側に配置して筐体の通気孔をふさぐ構成としてもよい。
【０１０７】
また、上記実施の形態では、筐体の通気孔と外面部材の通気孔とが、装置外面に垂直な方向から見て重なりが生じない構成を例にとって説明した。しかしながら、両方の通気孔が少し重なっている構成を採用してもよい。この場合でも、筐体の通気孔に差し込むことのできる棒の径は、両方の通気孔が完全に重なっている場合より細くなるため、一定の効果が得られる。
【産業上の利用可能性】
【０１０８】
本発明は、携帯電話機などの携帯端末装置に利用できる。
【符号の説明】
【０１０９】
１０  第２構成部
１１ａ、４１ａ  外部パネル
１１ｂ、４１ｂ  表示部
１１ｃ、１２ｃ、４１ｃ、４２ｃ、５７、５８、７７、７７Ａ、７８、９１ａ、９２ａ  通気孔
１２  第１筐体
１３、４９、５９、７９、９６  ベントフィルター
１２ａ、７５ａ  台座面
１２ｂ、７５ｂ、７５ｈ  凹部
１２Ａ  枠部
１２Ｂ  背面プレート
４２、５５、７５、７５Ａ、９２  筐体
５１  外装カバー
５４、７４、７４Ａ  電池蓋
７４ａ、７４ｂ  パッキン
９１  外面部材
ｄｆ１、ｄｆ２  接着部材
ｖ１、ｖ３、ｖ４  隙間
ｖ２  通気溝
【図１】
2014014060.tif 000003
【図２】
2014014060.tif 000004
【図３】
2014014060.tif 000005
【図４】
2014014060.tif 000006
【図５】
2014014060.tif 000007
【図６】
2014014060.tif 000008
【図７】
2014014060.tif 000009
【図８】
2014014060.tif 000010
【図９】
2014014060.tif 000011
【図１０】
2014014060.tif 000012
【図１１】
2014014060.tif 000013
【図１２】
2014014060.tif 000014
【図１３】
2014014060.tif 000015
【図１４】
2014014060.tif 000016
【図１５】
2014014060.tif 000017
【図１６】
2014014060.tif 000018